(57)【特許請求の範囲】
【請求項１】
アイポイント側より順に、正の屈折力を有する第１レンズと、正の屈折力を有する第２レンズと、負の屈折力を有する第３レンズと、像の反転作用を有する複数の反射面からなる光学系とで構成され、該複数の反射面からなる光学系のアイポイント側の正又は負の屈折力を有するレンズは、前記第１レンズ、前記第２レンズ、前記第３レンズの３枚のみであり、第３レンズを固定すると共に、第１レンズと第２レンズとを一体的に光軸方向へ移動することにより視度調節可能に構成され、次の条件式を満足することを特徴とする視度調節可能な一眼レフレックスカメラのファインダー光学系。
条件式（１）  ０．３５＜ｆ12／ｆA ＜０．５
条件式（４）’０．５＜｜ｆ3 ｜／ｆA ＜０．７
ただし、ｆ12：第１レンズと第２レンズの合成焦点距離、
ｆ3 ：第３レンズの焦点距離、
ｆA ：基準状態（０ｍ-1) でのファインダー光学系全体の焦点距離、
である。
【請求項２】
次の条件式を満足することを特徴とする請求項１の視度調節可能な一眼レフレックスカメラのファインダー光学系。
条件式（２）  ０．５５＜ｆ1 ／ｆA ＜０．９５
ただし、ｆ1 ：第１レンズの焦点距離、
である。
【請求項３】
次の条件式を満足することを特徴とする請求項１の視度調節可能な一眼レフレックスカメラのファインダー光学系。
条件式（３）  ０．７＜ｆ2 ／ｆA ＜１．３
ただし、ｆ2 ：第２レンズの焦点距離、
である。
【請求項４】
次の条件式を満足することを特徴とする請求項１の視度調節可能な一眼レフレックスカメラのファインダー光学系。
条件式（２）  ０．５５＜ｆ1 ／ｆA ＜０．９５
条件式（３）  ０．７＜ｆ2 ／ｆA ＜１．３
ただし、ｆ1 ：第１レンズの焦点距離、
ｆ2 ：第２レンズの焦点距離、
である。
【請求項５】
次の条件式を満足することを特徴とする請求項１から４の何れかの視度調節可能な一眼レフレックスカメラのファインダー光学系。
条件式（５）  ０．４＜ＳＦ１＜０．９
ただし、ＳＦ１は、第１レンズのアイポイントＥＰ側の面の曲率半径をＲＥ、ファインダースクリーン側の曲率半径をＲＳとした時、
ＳＦ＝（ＲＥ＋ＲＳ）／（ＲＥ−ＲＳ）
で定義されるシェイプファクターである。
【請求項６】
次の条件式を満足することを特徴とする請求項１から５の何れかの視度調節可能な一眼レフレックスカメラのファインダー光学系。
条件式（６）  −０．７＜ＳＦ２＜０．６
ただし、ＳＦ２は、第２レンズのアイポイントＥＰ側の面の曲率半径をＲＥ、ファインダースクリーン側の曲率半径をＲＳとした時、
ＳＦ＝（ＲＥ＋ＲＳ）／（ＲＥ−ＲＳ）
で定義されるシェイプファクターである。
【請求項７】
次の条件式を満足することを特徴とする請求項１から６の何れかの視度調節可能な一眼レフレックスカメラのファインダー光学系。
条件式（７）  −０．８＜ＳＦ３＜０．８
ただし、ＳＦ３は、第３レンズのアイポイントＥＰ側の面の曲率半径をＲＥ、ファインダースクリーン側の曲率半径をＲＳとした時、
ＳＦ＝（ＲＥ＋ＲＳ）／（ＲＥ−ＲＳ）
で定義されるシェイプファクターである。
【請求項８】
次の条件式を満足することを特徴とする請求項１から７の何れかの視度調節可能な一眼レフレックスカメラのファインダー光学系。
条件式（１）’０．３７５＜ｆ12／ｆA ＜０．４５
【請求項９】
次の条件式を満足することを特徴とする請求項２又は４の視度調節可能な一眼レフレックスカメラのファインダー光学系。
条件式（２）’０．５５＜ｆ1 ／ｆA ＜０．８５
【請求項１０】
次の条件式を満足することを特徴とする請求項３又は４の視度調節可能な一眼レフレックスカメラのファインダー光学系。
条件式（３）’０．７５＜ｆ2 ／ｆA ＜１．２５
【請求項１１】
次の条件式を満足することを特徴とする請求項５の視度調節可能な一眼レフレックスカメラのファインダー光学系。
条件式（５）’０．５＜ＳＦ１＜０．８５
【請求項１２】
次の条件式を満足することを特徴とする請求項６の視度調節可能な一眼レフレックスカメラのファインダー光学系。
条件式（６）’−０．６６＜ＳＦ２＜０．６
【請求項１３】
次の条件式を満足することを特徴とする請求項７の視度調節可能な一眼レフレックスカメラのファインダー光学系。
条件式（７）’−０．６＜ＳＦ３＜０．４
【発明の詳細な説明】
【０００１】
【産業上の利用分野】
本発明は、一眼レフレックスカメラのファインダー光学系に関し、特に、接眼レンズの一部をファインダー光軸方向へ移動することにより視度調節を行うファインダー光学系に関するものである。
【０００２】
【従来の技術】
一般に、光学装置のファインダー、双眼鏡、顕微鏡等においては、光学系によって所定の位置に作られる像を眼で観察する。この場合、像の位置が眼の調節能力を越えた所にあれば観察は困難となり、この像を観察するためには、眼の調節能力に合わせて像の位置を見やすい所に調節するための視度調節手段が必要となる。
【０００３】
この種の視度調節手段を例えば一眼レフレックスカメラのファインダーに用いたものとして、接眼レンズをファインダー像に対して前後させるものが知られている。
【０００４】
しかしながら、従来の３５ｍｍ版一眼レフレックスカメラのファインダーにおいては、ファインダー像と接眼レンズとの間にペンタプリズムが介在するため、接眼レンズの焦点距離ｆｅ  は６０ｍｍ前後以上と大きくならざるを得ない。このため、所望の視度の変化を得るのに必要な接眼レンズの移動量が大きくなってしまうという欠点があった。すなわち、接眼レンズの１ディオプター（ｍ−１）当たりの移動量Δは、
Δ＝ｆｅ  ２  ／１０００
で与えられるが、ここで２ディオプター（ｍ−１）の視度変化を得ようとすれば、７ｍｍ前後の接眼レンズの移動が必要になる。しかしながら、３５ｍｍ版一眼レフレックスカメラの場合、接眼レンズはペンタプリズムの背後のごく限られたスペースに設けなければならず、上記のような大きな移動量を許すだけのスペースの余裕がない。
【０００５】
そこで、移動量を小さくするために、接眼レンズをアイポイント側から正レンズと負レンズの２群で構成し、上記正レンズ又は負レンズの中の一方を固定し、他方のみを移動させることによる視度調節方法が、特開昭５４−１２６５３０号等で提案されている。これは、移動するレンズの焦点距離を接眼レンズ全体の焦点距離よりも短くすることにより、わずかの移動で大幅な視度の変化を得るようにしたものである。
【０００６】
また、同様な目的及び諸収差を良好に補正することを目的として、接眼レンズをアイポイント側から順に、第１群を正レンズ、第２群を正レンズ、第３群を負レンズで構成し、第２群の正レンズで視度調節をするようにしたものが、特公昭６０−４８７３０号で提案されており、また同様に、アイポイント側から順に、第１群を正レンズ、第２群を正レンズ、第３群を負レンズで構成し、第３群の負レンズで視度調節をするようにしたものが、特公昭６１−１９９６９号で提案されている。
【０００７】
【発明が解決しようとする課題】
しかしながら、上記の特開昭５４−１２６５３０号等のように、正レンズと負レンズの２枚で構成してその中の一方を固定し、他方をファインダー光軸上を移動させて視度調節を行った場合、基準状態（０ｍ−１）での、収差、特に歪曲収差、コマ収差等の軸外の収差が十分補正されておらず、また、視度調節を行った場合、視度調節に伴うレンズの移動による収差の変動が大きくなりがちであるという欠点がある。このような収差の変動は、次のような理由で生ずる。
【０００８】
接眼レンズのように簡単な構成のレンズ系では、正レンズで発生する収差を負レンズで打ち消すようにして、接眼レンズ全体の収差を小さく抑えているのが一般的である。しかしながら、このような２つのレンズの収差を打ち消し合うことが可能なのは、両レンズが所定の位置関係にある場合のみであり、位置がずれた場合には、打ち消し合いきれない収差が接眼レンズ全体の収差として発生する。すなわち、視度調節のためのレンズの移動に伴って収差の変動が起こることになる。特に、アイレリーフ（アイポイントから接眼レンズの最もアイポイント側の面までの距離）を長くしたり、視野率を高くしようとすると、光線が各レンズを通る時の光軸からの距離が離れるために、歪曲収差、コマ収差等の軸外の収差を十分補正することが困難になる。
【０００９】
また、特公昭６０−４８７３０号で提案されているように、第１レンズを正レンズ、第２レンズを正レンズ、第３レンズを負レンズとし、第２レンズで視度調節を行う構成や、特公昭６１−１９９６９号で提案されているように、第１レンズを正レンズ、第２レンズを正レンズ、第３レンズを負レンズとし、第３レンズで視度調節を行う構成の場合、歪曲収差、コマ収差等の諸収差は良好に補正することが可能であるが、収差補正を良好に行うためには、それぞれのレンズの焦点距離をあまり短くすることはできないために、視度調節の時に移動するレンズの移動量が大きくなり、広い範囲の視度調節を考慮した場合、移動するためのスペースを空けておく必要があるために、接眼レンズの全長が長くなってしまい、コンパクト性に欠けることになる。
【００１０】
また、特開平５−１８１０７１号では、第１レンズを正レンズ、第２レンズを正レンズ、第３レンズを負レンズとし、第１レンズと第２レンズを一体的に光軸方向に移動させることにより視度調節する方法が提案されているが、第１レンズ、第２レンズ、第３レンズで考えた時、第１レンズ、第２レンズ、第３レンズの合成焦点距離をＦとし、第３レンズの像面側の面から像面までの距離をＸとした場合、Ｘ／Ｆの値が０．２５〜０．４程度と短いために、電子ビューファインダーには適しているが、一眼レフレックスカメラのように像面と接眼レンズとの間に像反転部材を必要とする光学系には適さない。
【００１１】
本発明はこのような従来技術の問題点に鑑みてなされたものであり、その目的は、球面収差や、歪曲収差、コマ収差等の軸外収差等、諸収差が良好に補正された高解像で見え方が良く、さらに、全長の短いコンパクトな視度調節が可能な一眼レフレックスカメラのファインダー光学系を提供することである。
【００１２】
【課題を解決するための手段】
上記目的を達成する本発明の視度調節可能な一眼レフレックスカメラのファインダー光学系は、アイポイント側より順に、正の屈折力を有する第１レンズと、正の屈折力を有する第２レンズと、負の屈折力を有する第３レンズと、像の反転作用を有する複数の反射面からなる光学系とで構成され、該複数の反射面からなる光学系のアイポイント側の正又は負の屈折力を有するレンズは、前記第１レンズ、前記第２レンズ、前記第３レンズの３枚のみであり、第３レンズを固定すると共に、第１レンズと第２レンズとを一体的に光軸方向へ移動することにより視度調節可能に構成され、次の条件式を満足することを特徴とするものである。
【００１３】
条件式（１）  ０．３５＜ｆ12／ｆA ＜０．５
条件式（４）’０．５＜｜ｆ3 ｜／ｆA ＜０．７
ただし、ｆ12：第１レンズと第２レンズの合成焦点距離、
ｆ3 ：第３レンズの焦点距離、
ｆA ：基準状態（０ｍ-1) でのファインダー光学系全体の焦点距離、
である。
【００１７】
【作用】
以下に、本発明において上記構成をとる理由と作用について説明する。
本発明は、前記目的を達成するため、図１（ａ）に断面図、同（ｂ）に光線がアイポイントＥＰから接眼レンズ側へ進むとした逆追跡の等価光路図を示すように、ファインダー光学系を、アイポイントＥＰ側より順に、正の屈折力を有する第１レンズ２と、正の屈折力を有する第２レンズ３と、負の屈折力を有する第３レンズ４と、ペンタミラー等の像の反転作用を有する複数の反射面からなる光学系、ここではペンタプリズム５とで構成し、第３レンズ４を固定すると共に、第１レンズ２と第２レンズ３とを一体的に光軸方向へ移動することにより視度調節を行うと共に、次の各条件式を満足することを特徴としている。
【００１８】
条件式（１）  ０．３５＜ｆ１２／ｆＡ  ＜０．５
条件式（２）  ０．５５＜ｆ１  ／ｆＡ  ＜０．９５
条件式（３）  ０．７＜ｆ２  ／ｆＡ  ＜１．３
条件式（４）  ０．５＜｜ｆ３  ｜／ｆＡ  ＜０．７５
ただし、ｆ１２：第１レンズと第２レンズの合成焦点距離、
ｆ１  ：第１レンズの焦点距離、
ｆ２  ：第２レンズの焦点距離、
ｆ３  ：第３レンズの焦点距離、
ｆＡ  ：基準状態（０ｍ−１）  でのファインダー光学系全体の焦点距離、
とする。
【００１９】
すなわち、本発明では、ファインダー光学系を、アイポイントＥＰ側より順に、正の屈折力を有する第１レンズ２と、正の屈折力を有する第２レンズ３と、負の屈折力を有する第３レンズ４と、ペンタプリズム５とで構成し、第３レンズ４を固定すると共に、第１レンズ２と第２レンズ３とを一体的に光軸方向へ移動することにより視度調節を行っている。さらに、上記条件式（１）〜（４）を満たしている。
【００２０】
このように接眼レンズを構成することにより、軸外収差、特に、第１レンズ２の正レンズと第２レンズ３の正レンズで発生する歪曲収差、コマ収差の発生を少なくし、それらの収差をバランス良く補正することが可能になる。特に、アイレリーフを長くしたり、視野率を高くしようとした場合、各レンズでの光線高が高くなることにより発生する収差に対して有効である。
【００２１】
また、第３レンズ４を固定すると共に、第１レンズ２と第２レンズ３を一体的に光軸方向へ移動することで視度調節を行うことにより、単レンズ１枚で視度調節を行う場合に比べて、視度調節に伴い移動するレンズ群の焦点距離を短くすることができるので、そのための移動量を少なくすることが可能になり、接眼レンズの全長を短くすることが可能になる。さらに、視度調節に伴う収差変動も少なくなる。
【００２２】
以下、各条件式（１）〜（４）の意味を説明する。
条件式（１）は、基準状態におけるファインダー光学系全体の焦点距離に対する、第１レンズ２と第２レンズ３の合成の焦点距離の割合に関する条件式で、条件式（１）の下限の０．３５を越えると、コマ収差が補正不足になる。逆に、条件式（１）の上限の０．５を越えると、視度調節を行うための第１レンズ２と第２レンズ３の移動量が大きくなるので、接眼レンズの全長を長くする必要があり、コンパクト性に欠けることになる。また、視度調節に伴う収差変動が大きくなる。
【００２３】
条件式（２）は、基準状態におけるファインダー光学系全体の焦点距離に対する、第１レンズ２の焦点距離の割合に関する条件式で、条件式（２）の下限の０．５５を越えると、コマ収差が補正不足になり、逆に、条件式（２）の上限の０．９５を越えると、第１レンズ２と第２レンズ３の合成の焦点距離が長くなるために、視度調節を行うための第１レンズ２と第２レンズ３の移動量が大きくなるので、接眼レンズの全長を長くする必要があり、コンパクト性に欠けることになる。また、視度調節に伴う収差変動が大きくなる。
【００２４】
条件式（３）は、基準状態におけるファインダー光学系全体の焦点距離に対する、第２レンズ３の焦点距離の割合に関する条件式で、条件式（３）の下限の０．７を越えると、球面収差、コマ収差が補正不足になり、逆に、条件式（３）の上限の１．３を越えると、第１レンズ２と第２レンズ３の合成の焦点距離が長くなるために、視度調節を行うための第１レンズ２と第２レンズ３の移動量が大きくなるので、接眼レンズの全長を長くする必要があり、コンパクト性に欠けることになる。また、視度調節に伴う収差変動が大きくなる。
【００２５】
条件式（４）は、基準状態におけるファインダー光学系全体の焦点距離に対する、第３レンズ４の焦点距離の割合に関する条件式で、条件式（４）の下限の０．５を越えると、球面収差が補正不足になり、逆に、条件式（４）の上限の０．７５を越えると、第１レンズ２と第２レンズ３の合成の焦点距離が長くなるために、視度調節を行うための第１レンズ２と第２レンズ３の移動量が大きくなるので、接眼レンズの全長を長くする必要があり、コンパクト性に欠けることになる。また、視度調節に伴う収差変動が大きくなる。
【００２６】
ここで、条件式（１）〜（４）の少なくとも何れかを以下に示す範囲にすることにより、特に、球面収差やコマ収差の補正や、接眼レンズをコンパクトにする場合に望ましい。
【００２７】
条件式（１）’０．３７５＜ｆ１２／ｆＡ  ＜０．４５
条件式（２）’０．５５＜ｆ１  ／ｆＡ  ＜０．８５
条件式（３）’０．７５＜ｆ２  ／ｆＡ  ＜１．２５
条件式（４）’０．５＜｜ｆ３  ｜／ｆＡ  ＜０．７
本発明は、これまでに述べたような方法で前記した本発明の目的を達成することができるが、さらに、次の条件式（５）〜（７）を満たすと、特にコマ収差の補正を良好に行うことが可能になる。また、各レンズの空気間隔や、各レンズの最大有効径付近での間隔を適切な量とることが可能になり、レンズ等の加工がしやすくなる。
【００２８】
前記接眼レンズの第１レンズ２、第２レンズ３、第３レンズ４のシェイプファクターをそれぞれＳＦ１、ＳＦ２、ＳＦ３とした時、
条件式（５）  ０．４＜ＳＦ１＜０．９
条件式（６）  −０．７＜ＳＦ２＜０．６
条件式（７）  −０．８＜ＳＦ３＜０．８
ただし、シェイプファクターＳＦは、各レンズのアイポイントＥＰ側の面の曲率半径をＲＥ、ファインダースクリーン６側の曲率半径をＲＳとした時、
ＳＦ＝（ＲＥ＋ＲＳ）／（ＲＥ−ＲＳ）
で定義されるものとする。
【００２９】
以下、各条件式（５）〜（７）の意味を説明する。
条件式（５）〜（７）は、各レンズの形状に関する条件式であり、条件式（５）の下限の０．４を越えると、非点収差が補正不足になり、逆に、上限の０．９を越えると、第１レンズ２と第２レンズ３の合成したレンズ系の前側焦点位置がアイポイントＥＰ方向に移動するため、視度調節を行うために第１レンズ２と第２レンズ３とを一体的に第３レンズ４に近づく方向に移動しても、大きく視度調節を行うことが困難になる。
【００３０】
条件式（６）の下限の−０．７を越えると、第１レンズ２と第２レンズ３の合成したレンズ系の前側焦点位置がアイポイントＥＰ方向に移動するため、視度調節を行うために第１レンズ２と第２レンズ３とを一体的に第３レンズ４に近づく方向に移動しても、大きく視度調節を行うことが困難になる。逆に、上限の０．６を越えると、球面収差、コマ収差が補正不足になる。
【００３１】
条件式（７）の下限の−０．８を越えると、コマ収差が補正不足になり、逆に、上限の０．８を越えると、第３レンズ４のスクリーン６面側の曲率半径が小さくなるため、第３レンズ４の最大有効径付近でペンタプリズム５との干渉を防ぐために、第３レンズ４とペンタプリズム５との間隔を離さなくてはならなくなり、コンパクト性に欠けることになる。
【００３２】
ここで、条件式（５）〜（７）の少なくとも何れかを以下に示す範囲にすることにより、特に球面収差、コマ収差の補正や、視度調節の範囲を大きくしようとする場合に望ましい。
【００３３】
条件式（５）’０．５＜ＳＦ１＜０．８５
条件式（６）’−０．６６＜ＳＦ２＜０．６
条件式（７）’−０．６＜ＳＦ３＜０．４
【００３４】
【実施例】
以下に、本発明の視度調節可能な一眼レフレックスカメラのファインダー光学系の実施例１〜５について説明する。
以下にあげる各実施例は、その目的を達成するため、図１（ｂ）と同様に、ファインダー光学系を、アイポイントＥＰ側より順に、両凸形状の正の屈折力を有する第１レンズ２と、両凸形状の正の屈折力を有する第２レンズ３と、両凹形状の負の屈折力を有する第３レンズ４と、ペンタプリズム５とで構成し、第３レンズ４を固定とすると共に、第１レンズ２と第２レンズ３とを一体的に光軸方向へ移動することにより視度調節を行うと共に、前記した条件式（１）〜（７）を満足することを特徴としている。図中、１はカバーガラスである。なお、図１（ｂ）は実施例１の基準状態でのレンズ断面図であるが、他の実施例のレンズ断面形状もほぼ同様であるので、図示は省く（実施例２については、図２参照。）。
【００３５】
各実施例の数値データは後記するが、実施例１は、第２レンズ３については、アイポイントＥＰ側の曲率半径よりファインダースクリーン６側の曲率半径の方が緩く、また、第３レンズ４については、アイポイントＥＰ側の曲率半径の方がファインダースクリーン６側の曲率半径より緩くなっている。第２レンズ３、第３レンズ４をこのような形状にすると、球面収差、コマ収差の発生が非常に少なくなる。
【００３６】
実施例２は、第２レンズ３については、アイポイントＥＰ側の曲率半径の方がファインダースクリーン６側の曲率半径より緩く、また、第３レンズ４については、アイポイントＥＰ側よりファインダースクリーン６側の曲率半径の方が緩くなっている。第２レンズ３、第３レンズ４をこのような形状にすると、第３レンズ４の最大有効径において、ペンタプリズム５との間隔が広くとれるので、加工が容易になる。
【００３７】
実施例３は、ファインダー光学系全系の焦点距離に対する第１レンズ２と第２レンズ３の合成の焦点距離の割合を比較的小さくすることにより、視度調節に伴う第１レンズ２と第２レンズ３の移動量を少なくし、収差変動を小さくしている。
【００３８】
実施例４は、ペンタプリズム５のファインダースクリーン６側の面を非球面にしている。この面に非球面を用いることにより、特に歪曲収差の補正を良好に行うことが可能になる。また、面形状が、光軸付近ではファインダースクリーン６側に凸面を向け、光軸から離れた位置ではファインダースクリーン６側に凹面を向けた形状になっている。このような形状にすることにより、歪曲収差の補正が良好に行われる。
【００３９】
以上の実施例１〜実施例４は、ペンタプリズム５のファインダースクリーン６側の面がファインダースクリーン６側に凸面を向けた形状になっているが、このようにすれば、視度調節による第１レンズ２と第２レンズ３の移動による接眼レンズとペンタプリズム５の合成の焦点距離の変化が少なくなるため、視度調節に伴うファインダー倍率の変化が少なくなり、ファインダー観察が容易になる。
【００４０】
実施例５は、ペンタプリズム５のファインダースクリーン６側の面を平面にしている。この面を平面にすることにより、ペンタプリズム５の加工が容易になる。
【００４１】
なお、視度調節時の第１レンズ２と第２レンズ３の移動状態を例示するために、実施例２の視度＋１ｍ−１、０ｍ−１、−３ｍ−１時のレンズ断面図を図２に示す。次に、各実施例の数値データを示すが、記号は、上記の他、ｒ１  、ｒ２  …はアイポイントＥＰ側から順に示した各レンズ面の曲率半径、ｄ１  、ｄ２  …はアイポイントＥＰ側から順に示した各レンズ面間の間隔、ｎｄ１、ｎｄ２…はアイポイントＥＰ側から順に示した各レンズのｄ線の屈折率、νｄ１、νｄ２…はアイポイントＥＰ側から順に示した各レンズのアッベ数である。ただし、ｒ１  はアイポイントＥＰ位置を示し、ｒ１２はファインダースクリーン６を表す。なお、非球面形状は、光軸上光の進行と逆の方向をｘ、光軸に直交する方向をｙとしたとき、次の式で表される。
ｘ＝（ｙ２  ／ｒ）／［１＋｛１−Ｐ（ｙ／ｒ）２  ｝１／２  ］＋Ａ４ｙ４  ＋Ａ６ｙ６  ＋Ａ８ｙ８
ただし、ｒは近軸曲率半径、Ｐは円錐係数、Ａ４、Ａ６、Ａ８は非球面係数である。
【００４２】
0003585258.tif 000002
【００４３】
0003585258.tif 000003
【００４４】
0003585258.tif 000004
【００４５】
0003585258.tif 000005
0003585258.tif 000006
【００４６】
0003585258.tif 000007
【００４７】
以上の実施例１〜５の視度＋１ｍ−１、０ｍ−１、−３ｍ−１に調節時の球面収差、非点収差、歪曲収差、倍率色収差を表す収差図をそれぞれ図３〜図７に示す。
【００４８】
なお、以上のような実施例の本発明のファインダー光学系は、図８に概略の構成を示すのような一眼レフレックスカメラのファインダー光学系として組み込んで使用される。すなわち、一眼レフレックスカメラは、対物レンズＯｂから入った被写体からの光をフィルムＦ上に結像して撮影するものであるが、対物レンズＯｂとフィルムＦの間にクイックリターンミラーＲＭが退避自在に取り付けられており、撮影の前に被写体をねらったり構図を決めるために、光路内に挿入されたクイックリターンミラーＲＭを経て、対物レンズＯｂによる被写体像はファインダースクリーン６上に結像される。このファインダースクリーン６上に結像された被写体像を本発明のファインダー光学系で拡大して、アイポイントＥＰの位置で拡大観察する。その際、観察者の眼の視度に合わせるように、第１レンズ２と第２レンズ３をファインダー光学系の光軸に沿って移動させ、最も見やすい位置で被写体像を観察する。
【００４９】
以上の本発明の視度調節可能な一眼レフレックスカメラのファインダー光学系は、以下のように構成することができる。
〔１〕アイポイント側より順に、正の屈折力を有する第１レンズと、正の屈折力を有する第２レンズと、負の屈折力を有する第３レンズと、像の反転作用を有する複数の反射面からなる光学系とで構成され、第３レンズを固定すると共に、第１レンズと第２レンズとを一体的に光軸方向へ移動することにより視度調節可能に構成され、次の条件式を満足することを特徴とする視度調節可能な一眼レフレックスカメラのファインダー光学系。
条件式（１）  ０．３５＜ｆ１２／ｆＡ  ＜０．５
ただし、ｆ１２：第１レンズと第２レンズの合成焦点距離、
ｆＡ  ：基準状態（０ｍ−１）  でのファインダー光学系全体の焦点距離、
である。
【００５０】
〔２〕アイポイント側より順に、正の屈折力を有する第１レンズと、正の屈折力を有する第２レンズと、負の屈折力を有する第３レンズと、像の反転作用を有する複数の反射面からなる光学系とで構成され、第３レンズを固定すると共に、第１レンズと第２レンズとを一体的に光軸方向へ移動することにより視度調節可能に構成され、次の条件式を満足することを特徴とする視度調節可能な一眼レフレックスカメラのファインダー光学系。
条件式（２）  ０．５５＜ｆ１  ／ｆＡ  ＜０．９５
ただし、ｆ１  ：第１レンズの焦点距離、
ｆＡ  ：基準状態（０ｍ−１）  でのファインダー光学系全体の焦点距離、
である。
【００５１】
〔３〕アイポイント側より順に、正の屈折力を有する第１レンズと、正の屈折力を有する第２レンズと、負の屈折力を有する第３レンズと、像の反転作用を有する複数の反射面からなる光学系とで構成され、第３レンズを固定すると共に、第１レンズと第２レンズとを一体的に光軸方向へ移動することにより視度調節可能に構成され、次の条件式を満足することを特徴とする視度調節可能な一眼レフレックスカメラのファインダー光学系。
条件式（３）  ０．７＜ｆ２  ／ｆＡ  ＜１．３
ただし、ｆ２  ：第２レンズの焦点距離、
ｆＡ  ：基準状態（０ｍ−１）  でのファインダー光学系全体の焦点距離、
である。
【００５２】
〔４〕アイポイント側より順に、正の屈折力を有する第１レンズと、正の屈折力を有する第２レンズと、負の屈折力を有する第３レンズと、像の反転作用を有する複数の反射面からなる光学系とで構成され、第３レンズを固定すると共に、第１レンズと第２レンズとを一体的に光軸方向へ移動することにより視度調節可能に構成され、次の条件式を満足することを特徴とする視度調節可能な一眼レフレックスカメラのファインダー光学系。
条件式（４）  ０．５＜｜ｆ３  ｜／ｆＡ  ＜０．７５
ただし、ｆ３  ：第３レンズの焦点距離、
ｆＡ  ：基準状態（０ｍ−１）  でのファインダー光学系全体の焦点距離、
である。
【００５３】
〔５〕次の条件式を満足することを特徴とする上記〔１〕の視度調節可能な一眼レフレックスカメラのファインダー光学系。
条件式（２）  ０．５５＜ｆ１  ／ｆＡ  ＜０．９５
ただし、ｆ１  ：第１レンズの焦点距離、
である。
【００５４】
〔６〕次の条件式を満足することを特徴とする上記〔１〕の視度調節可能な一眼レフレックスカメラのファインダー光学系。
条件式（３）  ０．７＜ｆ２  ／ｆＡ  ＜１．３
ただし、ｆ２  ：第２レンズの焦点距離、
である。
【００５５】
〔７〕次の条件式を満足することを特徴とする上記〔１〕の視度調節可能な一眼レフレックスカメラのファインダー光学系。
条件式（４）  ０．５＜｜ｆ３  ｜／ｆＡ  ＜０．７５
ただし、ｆ３  ：第３レンズの焦点距離、
である。
【００５６】
〔８〕次の条件式を満足することを特徴とする上記〔１〕の視度調節可能な一眼レフレックスカメラのファインダー光学系。
条件式（２）  ０．５５＜ｆ１  ／ｆＡ  ＜０．９５
条件式（３）  ０．７＜ｆ２  ／ｆＡ  ＜１．３
ただし、ｆ１  ：第１レンズの焦点距離、
ｆ２  ：第２レンズの焦点距離、
である。
【００５７】
〔９〕次の条件式を満足することを特徴とする上記〔１〕の視度調節可能な一眼レフレックスカメラのファインダー光学系。
条件式（３）  ０．７＜ｆ２  ／ｆＡ  ＜１．３
条件式（４）  ０．５＜｜ｆ３  ｜／ｆＡ  ＜０．７５
ただし、ｆ２  ：第２レンズの焦点距離、
ｆ３  ：第３レンズの焦点距離、
である。
【００５８】
〔１０〕次の条件式を満足することを特徴とする上記〔１〕の視度調節可能な一眼レフレックスカメラのファインダー光学系。
条件式（２）  ０．５５＜ｆ１  ／ｆＡ  ＜０．９５
条件式（４）  ０．５＜｜ｆ３  ｜／ｆＡ  ＜０．７５
ただし、ｆ１  ：第１レンズの焦点距離、
ｆ３  ：第３レンズの焦点距離、
である。
【００５９】
〔１１〕次の条件式を満足することを特徴とする上記〔１〕の視度調節可能な一眼レフレックスカメラのファインダー光学系。
条件式（２）  ０．５５＜ｆ１  ／ｆＡ  ＜０．９５
条件式（３）  ０．７＜ｆ２  ／ｆＡ  ＜１．３
条件式（４）  ０．５＜｜ｆ３  ｜／ｆＡ  ＜０．７５
ただし、ｆ１  ：第１レンズの焦点距離、
ｆ２  ：第２レンズの焦点距離、
ｆ３  ：第３レンズの焦点距離、
である。
【００６０】
〔１２〕次の条件式を満足することを特徴とする上記〔２〕の視度調節可能な一眼レフレックスカメラのファインダー光学系。
条件式（３）  ０．７＜ｆ２  ／ｆＡ  ＜１．３
ただし、ｆ２  ：第２レンズの焦点距離、
である。
【００６１】
〔１３〕次の条件式を満足することを特徴とする上記〔２〕の視度調節可能な一眼レフレックスカメラのファインダー光学系。
条件式（４）  ０．５＜｜ｆ３  ｜／ｆＡ  ＜０．７５
ただし、ｆ３  ：第３レンズの焦点距離、
である。
【００６２】
〔１４〕次の条件式を満足することを特徴とする上記〔２〕の視度調節可能な一眼レフレックスカメラのファインダー光学系。
条件式（３）  ０．７＜ｆ２  ／ｆＡ  ＜１．３
条件式（４）  ０．５＜｜ｆ３  ｜／ｆＡ  ＜０．７５
ただし、ｆ２  ：第２レンズの焦点距離、
ｆ３  ：第３レンズの焦点距離、
である。
【００６３】
〔１５〕次の条件式を満足することを特徴とする上記〔３〕の視度調節可能な一眼レフレックスカメラのファインダー光学系。
条件式（４）  ０．５＜｜ｆ３  ｜／ｆＡ  ＜０．７５
ただし、ｆ３  ：第３レンズの焦点距離、
である。
【００６４】
〔１６〕次の条件式を満足することを特徴とする上記〔１〕から〔１５〕の何れかの視度調節可能な一眼レフレックスカメラのファインダー光学系。
条件式（５）  ０．４＜ＳＦ１＜０．９
ただし、ＳＦ１は、第１レンズのアイポイントＥＰ側の面の曲率半径をＲＥ、ファインダースクリーン側の曲率半径をＲＳとした時、
ＳＦ＝（ＲＥ＋ＲＳ）／（ＲＥ−ＲＳ）
で定義されるシェイプファクターである。
【００６５】
〔１７〕次の条件式を満足することを特徴とする上記〔１〕から〔１６〕の何れかの視度調節可能な一眼レフレックスカメラのファインダー光学系。
条件式（６）  −０．７＜ＳＦ２＜０．６
ただし、ＳＦ２は、第２レンズのアイポイントＥＰ側の面の曲率半径をＲＥ、ファインダースクリーン側の曲率半径をＲＳとした時、
ＳＦ＝（ＲＥ＋ＲＳ）／（ＲＥ−ＲＳ）
で定義されるシェイプファクターである。
【００６６】
〔１８〕次の条件式を満足することを特徴とする上記〔１〕から〔１７〕の何れかの視度調節可能な一眼レフレックスカメラのファインダー光学系。
条件式（７）  −０．８＜ＳＦ３＜０．８
ただし、ＳＦ３は、第３レンズのアイポイントＥＰ側の面の曲率半径をＲＥ、ファインダースクリーン側の曲率半径をＲＳとした時、
ＳＦ＝（ＲＥ＋ＲＳ）／（ＲＥ−ＲＳ）
で定義されるシェイプファクターである。
【００６７】
〔１９〕次の条件式を満足することを特徴とする上記〔１〕、〔５〕から〔１１〕、〔１６〕から〔１８〕の何れかの視度調節可能な一眼レフレックスカメラのファインダー光学系。
条件式（１）’０．３７５＜ｆ１２／ｆＡ  ＜０．４５                  。
【００６８】
〔２０〕次の条件式を満足することを特徴とする上記〔２〕、〔５〕、〔８〕、〔１０〕から〔１４〕、〔１６〕から〔１９〕の何れかの視度調節可能な一眼レフレックスカメラのファインダー光学系。
条件式（２）’０．５５＜ｆ１  ／ｆＡ  ＜０．８５                    。
【００６９】
〔２１〕次の条件式を満足することを特徴とする上記〔３〕、〔６〕、〔８〕、〔９〕、〔１１〕、〔１２〕、〔１４〕から〔２０〕の何れかの視度調節可能な一眼レフレックスカメラのファインダー光学系。
条件式（３）’０．７５＜ｆ２  ／ｆＡ  ＜１．２５                    。
【００７０】
〔２２〕次の条件式を満足することを特徴とする上記〔４〕、〔７〕、〔９〕から〔１１〕、〔１３〕から〔２１〕の何れかの視度調節可能な一眼レフレックスカメラのファインダー光学系。
条件式（４）’０．５＜｜ｆ３  ｜／ｆＡ  ＜０．７                    。
【００７１】
〔２３〕次の条件式を満足することを特徴とする上記〔１６〕から〔２２〕の何れかの視度調節可能な一眼レフレックスカメラのファインダー光学系。
条件式（５）’０．５＜ＳＦ１＜０．８５                          。
【００７２】
〔２４〕次の条件式を満足することを特徴とする上記〔１７〕から〔２３〕の何れかの視度調節可能な一眼レフレックスカメラのファインダー光学系。
条件式（６）’−０．６６＜ＳＦ２＜０．６                        。
【００７３】
〔２５〕次の条件式を満足することを特徴とする上記〔１８〕から〔２４〕の何れかの視度調節可能な一眼レフレックスカメラのファインダー光学系。
条件式（７）’−０．６＜ＳＦ３＜０．４                          。
【００７４】
【発明の効果】
以上説明したように、本発明のような構成にすることにより、歪曲収差、コマ収差等の軸外の諸収差が良好に補正された見え方の良い、さらに、全長の短いコンパクトな視度調節が可能な一眼レフレックスカメラのファインダー光学系を構成することができる。
【図面の簡単な説明】
【図１】本発明の視度調節可能な一眼レフレックスカメラのファインダー光学系の断面図と逆追跡の等価光路図である。
【図２】本発明の実施例２の視度＋１ｍ−１、０ｍ−１、−３ｍ−１時のレンズ断面図である。
【図３】実施例１の視度＋１ｍ−１、０ｍ−１、−３ｍ−１に調節時の球面収差、非点収差、歪曲収差、倍率色収差を表す収差図である。
【図４】実施例２の図３と同様な収差図である。
【図５】実施例３の図３と同様な収差図である。
【図６】実施例４の図３と同様な収差図である。
【図７】実施例５の図３と同様な収差図である。
【図８】本発明のファインダー光学系を組み込んだ一眼レフレックスカメラの概略の構成を示す図である。
【符号の説明】
１…カバーガラス
２…第１レンズ
３…第２レンズ
４…第３レンズ
５…像の反転作用を有する複数の反射面から成る光学系（ペンタプリズム）
６…ファインダースクリーン
ＥＰ…アイポイント
Ｏｂ…一眼レフレックスカメラの対物レンズ
Ｆ  …フィルム
ＲＭ…クイックリターンミラー
【図１】
0003585258.tif 000008
【図２】
0003585258.tif 000009
【図３】
0003585258.tif 000010
【図４】
0003585258.tif 000011
【図５】
0003585258.tif 000012
【図６】
0003585258.tif 000013
【図７】
0003585258.tif 000014
【図８】
0003585258.tif 000015